(57)【要約】【課題】ワイヤハーネスを構造物から取り外す場合に、専用の治具を使用する必要がなく、ワイヤハーネスの分別回収を容易に、且つ効率化することができるワイヤハーネス用クリップを提供する。【解決手段】ワイヤハーネスの外周に巻き付けたバンド本体３３ａの先端側をバンド本体３３ａ基端のバンド挿通部３３ｂ内の係止突起４１により抜け止めしてワイヤハーネスの固定を果たす結束バンド３３と、該結束バンド３３を構造物に連結するバンド連結部材３５とを備えるワイヤハーネス用クリップ３１において、バンド挿通部３３ｂに捻りを加えると、係止突起４１によるバンド本体３３ａの抜け止めが解除される構成にしたことで、専用の治具を使用しなくても、ワイヤハーネスの分別回収が可能になる。【選択図】図７
2009183100.tif 000002
【特許請求の範囲】
【請求項１】
ワイヤハーネスの外周に巻き付けたバンド本体の先端側部分を前記バンド本体の基端側部分にあるバンド挿通部内の係止突起により抜け止めすることにより前記ワイヤハーネスの固定を果たす結束バンドと、該結束バンドを構造物に連結するバンド連結部材とを備えるワイヤハーネス用クリップであって、
前記バンド挿通部に捻りを加えると、前記係止突起による前記バンド本体の先端側部分の抜け止めが解除されることを特徴とするワイヤハーネス用クリップ。
【請求項２】
前記係止突起が、前記バンド挿通部内の底面の挿入口寄りで且つ前記バンド本体の幅方向の片側に寄った一部領域にのみ設けられると共に、
前記バンド挿通部内の底面に対向する天井面で前記係止突起に対向する位置には、前記係止突起が係合する前記バンド本体の片側を前記天井面側に逃がして係合を外す逃げ溝が設けられ、
前記バンド挿通部に捻りを加えると、前記バンド挿通部内の前記バンド本体の幅方向の片側部分が前記逃げ溝に入った傾斜状態になることによって、前記係止突起による前記バンド本体の抜け止めが解除されることを特徴とする請求項１に記載のワイヤハーネス用クリップ。
【発明の詳細な説明】
【技術分野】
【０００１】
本発明は、ワイヤハーネスを結束する結束バンドと、該結束バンドを構造物に連結するバンド連結部材とを備えて、前記ワイヤハーネスを前記構造物に固定するワイヤハーネス用クリップに関し、特に、環境対応策として、構造物上のワイヤハーネスの分別回収を容易にするための改良に関する。
【背景技術】
【０００２】
図９及び図１０は、車両のボディパネル等の構造物Ｐ上にワイヤハーネスＷを固定する従来のワイヤハーネス用クリップ１を示したものである。
【０００３】
ここに示したワイヤハーネス用クリップ１は、下記特許文献１に開示されたクリップと同様の構成のもので、ワイヤハーネスＷを結束する結束バンド３と、該結束バンド３を構造物Ｐに連結するバンド連結部材５とを、樹脂の射出成形により一体成形されている。
【０００４】
結束バンド３の具体的な構成は、公知の構成でよく、一般には、ワイヤハーネスＷの外周に巻き付けるバンド本体の先端側を前記バンド本体の基端側に装備されたバンド挿通部に挿通させると、前記バンド挿通部の内周に設けられている係止突起が前記バンド本体の表面に形成されている係止溝に係合して、バンド本体がバンド挿通部から抜け止めされる構成のものが普及している。
【０００５】
バンド連結部材５は、構造物Ｐに貫通形成された取付孔７に挿入すると、取付孔７を通過した時に弾性復元力で拡径方向に広がる弾性変形部１１と、構造物Ｐの表面側から取付孔７の周囲に当接する座板部１２とを具備している。
【０００６】
弾性変形部１１には、拡径した時に前記構造物Ｐの裏面側から取付孔７の縁に係合する段差１１ａが装備されている。従って、バンド連結部材５は、図９にも示したように、取付孔７に挿通された弾性変形部１１の段差１１ａと座板部１２とで構造物Ｐの取付孔７の周縁部を挾持することで、構造物Ｐとの連結を果たす。
【０００７】
ところで、近年では、廃棄物中の資源のリサイクル化等により環境への負荷を軽減する環境対応策の一つとして、使用済み製品の廃棄時に各種の部品の分別回収を容易にする工夫等が要求されている。
【０００８】
例えば、上記のようなワイヤハーネス用クリップ１では、構造物ＰからのワイヤハーネスＷの取り外しを容易にすることで、ワイヤハーネスＷの分別回収が容易になり、また、ワイヤハーネスＷの分別回収作業を効率化することができる。
【０００９】
そこで、上記のワイヤハーネス用クリップ１の場合、構造物ＰからのワイヤハーネスＷの取り外しを容易にするための工夫として、段差１１ａの内周部に構造物Ｐの表面側に突出する係止突片１１ｂを一体装備すると共に、係止突片１１ｂに対向する座板部１２の外周部には開口１４を設けている。
【００１０】
このような構成では、図１０に示すように、ワイヤハーネスＷの一端側を矢印Ｍで示すように曲げて座板部１２の開口１４を露出させ、この開口１４から差し込んだ棒状の治具Ｔの先端を係止突片１１ｂに当接させて、弾性変形部１１を縮径方向に弾性変形させると、弾性変形部１１と取付孔７の周縁部との係合が外れる。この状態で、ワイヤハーネス用クリップ１を引っ張って、弾性変形部１１を取付孔７から抜けば、ワイヤハーネスＷが構造物Ｐから取り外された状態になる。
【００１１】
【特許文献１】特開平１１−２６６５１８号公報
【発明の開示】
【発明が解決しようとする課題】
【００１２】
ところが、前述したワイヤハーネス用クリップ１では、専用の棒状の治具Ｔを用意していないと、ワイヤハーネスＷの取り外しができないという問題が生じた。
【００１３】
更に、専用の棒状の治具Ｔを使用したワイヤハーネス用クリップ１の取り外し作業は、細い棒状の治具Ｔの先端をバンド連結部材５の開口１４に挿入して、係止突片１１ｂを押下するという手間のかかる作業であるため、作業性が悪いという問題も生じた。
【００１４】
本発明の目的は、上記課題を解消することに係り、ワイヤハーネスを構造物から取り外す場合に、専用の治具を使用する必要がなく、ワイヤハーネスの分別回収を容易に、且つ効率化することができる環境性能に優れたワイヤハーネス用クリップを提供することにある。
【課題を解決するための手段】
【００１５】
本発明の上記目的は、下記構成により達成される。
（１）  ワイヤハーネスの外周に巻き付けたバンド本体の先端側部分を前記バンド本体の基端側部分にあるバンド挿通部内の係止突起により抜け止めすることにより前記ワイヤハーネスの固定を果たす結束バンドと、該結束バンドを構造物に連結するバンド連結部材とを備えるワイヤハーネス用クリップであって、
前記バンド挿通部に捻りを加えると、前記係止突起による前記バンド本体の先端側部分の抜け止めが解除されることを特徴とするワイヤハーネス用クリップ。
【００１６】
（２）  前記係止突起が、前記バンド挿通部内の底面の挿入口寄りで且つ前記バンド本体の幅方向の片側に寄った一部領域にのみ設けられると共に、
前記バンド挿通部内の底面に対向する天井面で前記係止突起に対向する位置には、前記係止突起が係合する前記バンド本体の片側を前記天井面側に逃がして係合を外す逃げ溝が設けられ、
前記バンド挿通部に捻りを加えると、前記バンド挿通部内の前記バンド本体の幅方向の片側部分が前記逃げ溝に入った傾斜状態になることによって、前記係止突起による前記バンド本体の抜け止めが解除されることを特徴とする前記（１）に記載のワイヤハーネス用クリップ。
【００１７】
前記（１）の構成によれば、バンド挿通部に捻りを加えることで、バンド本体の先端側部分の抜け止めが解除されるので、バンド挿通部を捻るだけでワイヤハーネスを簡単に取り外すことができる。
【００１８】
前記（２）の構成によれば、バンド挿通部を捻ることで、バンド本体の幅方向の片側部分が逃げ溝に入った傾斜状態になってバンド本体の抜け止めが解除されるので、バンド挿通部を捻るだけでワイヤハーネスを簡単に取り外すことができる。
【発明の効果】
【００１９】
本発明に係るワイヤハーネス用クリップでは、構造物上に布設しているワイヤハーネスを構造物から取り外す場合には、例えば、当該ワイヤハーネス用クリップにより固定されているワイヤハーネスを引き起こす等して、結束バンドのバンド挿通部に捻りを加えると、前記バンド挿通部内の係止突起によるバンド本体の先端側部分の抜け止めが解除されて、その状態のままワイヤハーネスを引けば、ワイヤハーネスに対するバンド本体の巻きが解かれて、ワイヤハーネスをワイヤハーネス用クリップから取り外すことができる。
【００２０】
即ち、ワイヤハーネスを構造物から取り外す場合に、専用の治具を使用する必要がなく、更に、専用の治具を所定の手順で操作する煩わしさもないため、簡単にワイヤハーネスの取り外しを完了させることができる。
【００２１】
従って、ワイヤハーネスが装備された構造物を廃棄する際のワイヤハーネスの分別回収を容易に、且つ効率化することができ、廃棄物中の資源のリサイクル化等の環境対応に適したワイヤハーネスの分離・分別回収を容易にすることができる。
【発明を実施するための最良の形態】
【００２２】
以下、本発明に係るワイヤハーネス用クリップの好適な実施形態について、図面を参照して詳細に説明する。
【００２３】
図１は本発明に係るワイヤハーネス用クリップの一実施形態の結束バンドが開いた状態の斜視図、図２は図１に示したワイヤハーネス用クリップの結束バンドが閉じた状態の斜視図、図３は図１のＡ矢視図、図４は図３に示したバンド挿通部内に装備される係止突起部の構造を示す斜視図、図５は図３に示したバンド挿通部に挿通されたバンド本体が係止突起部により係止されている状態の正面図、図６は図５のＢ−Ｂ断面図、図７はバンド挿通部に捻りを加えることによって、バンド挿通部内のバンド本体が係止突起部から外れる仕組みの説明図、図８（ａ）は図１に示したワイヤハーネス用クリップで構造物に固定されているワイヤハーネスの説明図、図８（ｂ）は図８（ａ）に示したワイヤハーネスの結束バンドによる結束を外すためにワイヤハーネスに曲げを加えた状態の説明図である。
【００２４】
この一実施形態のワイヤハーネス用クリップ３１は、樹脂材料による射出成形品であり、図１及び図２に示すように、ワイヤハーネスＷを結束する結束バンド３３と、該結束バンド３３を車両のボディパネル等の構造物に連結するバンド連結部材３５とを備えて、ワイヤハーネスＷを構造物に固定するものである。
【００２５】
結束バンド３３は、ワイヤハーネスＷの外周に巻き付けるバンド本体３３ａの先端側をバンド本体３３ａの基端側に一体に装備されたバンド挿通部３３ｂに挿通させると、図６に示すように、バンド挿通部３３ｂの内部に設けられている係止突起４１がバンド本体３３ａの表面に形成されている係止溝４３に係合して、バンド本体３３ａがバンド挿通部３３ｂから抜け止めされることにより、ワイヤハーネスＷの固定を果たす。
【００２６】
一方、バンド連結部材３５は、図１及び図２に示すように、バンド挿通部３３ｂの外側面に一体形成されたもので、基本的な構造は図９に示した従来のバンド連結部材５と同様でよく、不図示の構造物に貫通形成された取付孔に挿入すると、該取付孔を通過した時に弾性復元力で拡径方向に広がる角錐形状の弾性変形部３５ａと、構造物の表面側から取付孔の周囲に当接する座板部３５ｂとを具備していて、弾性変形部３５ａと座板部３５ｂとで構造物の取付孔の周縁部を挾持することで構造物との連結を果たす。
【００２７】
本実施形態の場合、バンド挿通部３３ｂ内の係止突起４１は、図４に示すように、バンド挿通部３３ｂ内の底面５１の挿入口５２寄りで、且つバンド本体３３ａの幅方向の片側（図４では右側）に寄った一部領域（図３にＬ１で示す領域）にのみ設けられている。そして、図４に示すように、係止突起４１の反対側は、滑らかな傾斜面５３となっている。
【００２８】
バンド挿通部３３ｂ内の底面５１に対向する天井面５４で係止突起４１に対向する位置には、係止突起４１が係合するバンド本体３３ａの片側を天井面５４側に逃がして係合を外す逃げ溝５６が設けられている。逃げ溝５６は、バンド本体３３ａの幅方向には、バンド本体３３ａの片端側にのみ装備されており、また、図３及び図５に示すように、バンド本体３３ａの幅の中央部付近に位置する溝端は、傾斜面５３に略平行な傾斜面５６ａに形成されている。
【００２９】
更に、逃げ溝５６は、図６に示すように、天井面５４の挿入口５２寄りの一部領域（図６にＬ２で示す領域）にのみ形成されている。
【００３０】
以上のように構成されたワイヤハーネス用クリップ３１では、図７に矢印Ｄで示すように、バンド挿通部３３ｂに捻りを加えると、バンド挿通部３３ｂ内のバンド本体３３ａの片側が逃げ溝５６に入った傾斜状態になることによって、前記係止突起４１によるバンド本体３３ａの抜け止めが解除される。
【００３１】
このようなバンド挿通部３３ｂに捻りを加える作業は、ワイヤハーネス用クリップ３１により固定しているワイヤハーネスＷの先端を図８（ａ）に示す矢印Ｃ方向に引き起こし、図８（ｂ）に示すように結束バンド３３による結束位置付近のワイヤハーネスＷを曲げた状態にすることで、簡単に実現することができる。
【００３２】
以上に説明したワイヤハーネス用クリップ３１では、構造物上に布設しているワイヤハーネスＷを構造物から取り外す場合には、例えば、当該ワイヤハーネス用クリップ３１により固定されているワイヤハーネスＷを図８に示すように引き起こす等して、結束バンド３３のバンド挿通部３３ｂに捻りを加えると、バンド挿通部３３ｂ内の係止突起４１によるバンド本体３３ａの抜け止めが図７に示すように解除された状態になり、その状態のままワイヤハーネスＷを引けば、ワイヤハーネスＷに対するバンド本体３３ａの巻きが解かれて、ワイヤハーネスＷをワイヤハーネス用クリップ３１から取り外すことができる。
【００３３】
即ち、ワイヤハーネスＷを構造物から取り外す場合に、専用の治具を使用する必要がなく、更に、専用の治具を所定の手順で操作する煩わしさもないため、簡単にワイヤハーネスＷの取り外しを完了させることができる。
【００３４】
従って、ワイヤハーネスＷが装備された構造物を廃棄する際のワイヤハーネスＷの分別回収を容易に、且つ効率化することができ、廃棄物中の資源のリサイクル化等の環境対応に適したワイヤハーネスＷの分離・分別回収を容易にすることができる。
【００３５】
なお、本実施形態のワイヤハーネス用クリップ３１では、バンド挿通部３３ｂ内の係止突起は、前記バンド挿通部３３ｂ内の底面５１の挿入口５２寄りで且つ前記バンド本体３３ａの幅方向の片側に寄った一部領域にのみ設けられる構成とし、更に、バンド挿通部３３ｂ内の底面５１に対向する天井面５４で係止突起４１に対向する位置には、係止突起４１が係合するバンド本体３３ａの片側を天井面５４側に逃がして係合を外す逃げ溝５６を設けた。そして、このような構成にすることにより、バンド挿通部３３ｂに捻りを加えると、係止突起４１によるバンド本体３３ａの抜け止めが解除されるようにした。
【００３６】
しかし、本発明に係るワイヤハーネス用クリップにおいて、バンド挿通部に捻りを加えることによりバンド挿通部におけるバンド本体の抜け止めを解除させる具体的な構成は、上記実施形態の構成に限定するものではない。バンド挿通部におけるバンド本体の抜け止めを解除させる具体的な構成は、バンド挿通部の構造の改良等に応じて適宜に設計変更することが考えられる。
【００３７】
なお、本発明に係るワイヤハーネス用クリップは、実施形態でも説明したように、ワイヤハーネスの固定を基本用途としているが、結束バンドによって結束できるものであれば、ワイヤハーネス以外の部材の固定等に利用することも可能であることは、言うまでもない。
【図面の簡単な説明】
【００３８】
【図１】本発明に係るワイヤハーネス用クリップの一実施形態の結束バンドが開いた状態の斜視図である。
【図２】図１に示したワイヤハーネス用クリップの結束バンドが閉じた状態の斜視図である。
【図３】図１のＡ矢視図である。
【図４】図３に示したバンド挿通部内に装備される係止突起部の構造を示す斜視図である。
【図５】図３に示したバンド挿通部に挿通されたバンド本体が係止突起部により係止されている状態の正面図である。
【図６】図５のＢ−Ｂ断面図である。
【図７】バンド挿通部に捻りを加えることによって、バンド挿通部内のバンド本体が係止突起部から外れる仕組みの説明図である。
【図８】（ａ）は図１に示したワイヤハーネス用クリップで構造物に固定されているワイヤハーネスの説明図、（ｂ）は（ａ）に示したワイヤハーネスの結束バンドによる結束を外すためにワイヤハーネスに曲げを加えた状態の説明図である。
【図９】従来のワイヤハーネス用クリップがワイヤハーネスを構造物に固定している状態の説明図である。
【図１０】図９に示したワイヤハーネス用クリップを構造物から取り外す操作の説明図である。
【符号の説明】
【００３９】
３１  ワイヤハーネス用クリップ
３３  結束バンド
３３ａ  バンド本体
３３ｂ  バンド挿通部
３５  バンド連結部材
３５ａ  弾性変形部
３５ｂ  座板部
４１  係止突起
４３  係止溝
５１  底面
５２  挿入口
５３  傾斜面
５４  天井面
５６  逃げ溝
５６ａ  傾斜面
Ｗ  ワイヤハーネス
【図１】
2009183100.tif 000003
【図２】
2009183100.tif 000004
【図３】
2009183100.tif 000005
【図４】
2009183100.tif 000006
【図５】
2009183100.tif 000007
【図６】
2009183100.tif 000008
【図７】
2009183100.tif 000009
【図８】
2009183100.tif 000010
【図９】
2009183100.tif 000011
【図１０】
2009183100.tif 000012